(57)【特許請求の範囲】
【請求項１】
接続コネクタ付きの光ファイバケーブルを備えた光モジュールと、前記接続コネクタを接続する光連結コネクタを取り付ける光ファイバケーブル連結装置とを基板に実装して成る光通信機器であって、
前記光ファイバケーブル連結装置は、
前記基板に半田付けされる端子を有する板状の固定部材と、
前記光連結コネクタを取り付ける取付穴を有する壁部と、長穴から成るスライド穴を前記壁部から離れる方向に設けたスライド部とを有する略Ｌ字型を為すスライド部材と、
前記スライド部材を前記固定部材上に固定する固定ネジと
を備え、
前記スライド部材は、前記接続コネクタと前記光連結コネクタとの接続時に、前記固定ネジを介して前記固定部材に仮止めされた状態で前記固定ネジを介して前記固定部材上を回転または前記固定部材上をスライドする
ことを特徴とする光通信機器。
【請求項２】
請求項１記載の光通信機器において、
前記固定部材は、内側にネジ部を有するとともに隆起する筒状突起部を有し、
前記スライド穴は、前記筒状突起部を差し込む長穴から成り、
前記スライド部材は、前記筒状突起部を前記スライド穴に差し込んで前記固定部材上に移動自在に重ね合わせられるとともに、前記筒状突起部に前記スライド部側から前記固定ネジを螺合することによって前記固定部材上に固定される
ことを特徴とする光通信機器。
【請求項３】
請求項１または請求項２記載の光通信機器において、
前記スライド穴は、前記スライド部材を前記固定部材上に固定する際に、前記固定ネジが前記取付穴に取り付けられた前記光連結コネクタと干渉しないように前記スライド部材の幅方向で前記取付穴の取付位置とづらして形成されている
ことを特徴とする光通信機器。
【請求項４】
請求項２記載の光通信機器において、
前記スライド穴は、前記壁部から離れた端部に前記固定ネジの頭部より大きなネジ頭挿入部を有する
ことを特徴とする光通信機器。
【請求項５】
請求項１ないし請求項４の何れか記載の光通信機器において、
前記固定部材は、前記スライド部材が該固定部材上を回動する際に該スライド部材の動きを規制するストッパーを有する
ことを特徴とする光通信機器。
【請求項６】
請求項１ないし請求項５の何れか記載の光通信機器における前記光モジュールに備えた前記光ファイバケーブルの接続コネクタを前記光連結コネクタに接続する方法において、
前記固定部材上に前記スライド部材を重ね合わせた後、前記スライド部材が移動できるように前記固定部材に前記固定ネジを螺合して仮止めする仮組行程と、
前記光ファイバケーブルの許容曲率を確保するように前記スライド部材を前記固定部材上を回動し、前記光ファイバケーブルの接続コネクタを前記光連結コネクタに接続する行程と、
前記スライド部材を元の位置に戻し、前記スライド部材を前記固定ネジを介して前記固定部材上に固定する固定行程と
を備えたことを特徴とする光通信機器における接続コネクタの接続方法。
【請求項７】
請求項１ないし請求項５の何れか記載の光通信機器における前記光モジュールに備えた前記光ファイバケーブルのコネクタを前記光連結コネクタに接続する方法において、
前記固定部材上に前記スライド部材を重ね合わせた後、前記スライド部材が移動できるように前記固定部材に前記固定ネジを螺合して仮止めする仮組行程と、
前記光ファイバケーブルの接続コネクタを前記光連結コネクタに接続した際に前記光ファイバケーブルが前記基板よりはみ出ないように前記スライド部材を前記固定部材上を移動する調整行程と、
前記スライド部材を前記固定ネジを介して前記固定部材上に固定する行程と
を備えたことを特徴とする光通信機器における接続コネクタの接続方法。
【請求項８】
請求項４または請求項５の何れか記載の光通信機器における前記光モジュールに備えた前記光ファイバケーブルの接続コネクタを前記光連結コネクタに接続する方法において、
前記固定部材の筒状突起部に前記固定ネジを螺合して仮止めし、前記スライド部材のスライド穴のネジ頭挿入部から前記固定ネジを挿入して前記固定部材上に前記スライド部材を重ね合わせた後、前記スライド部材を移動して前記筒状突起部を前記スライド穴に導く仮組行程と、
前記光ファイバケーブルの許容曲率を確保するように前記スライド部材を前記固定部材上を回動し、前記光ファイバケーブルの接続コネクタを前記光連結コネクタに接続する接続行程と、
前記スライド部材を元の位置に戻し、前記スライド部材を前記固定ネジを介して前記固定部材上に固定する固定行程と
を備えたことを特徴とする光通信機器における接続コネクタの接続方法。
【請求項９】
請求項４または請求項５の何れか記載の光通信機器における前記光モジュールに備えた前記光ファイバケーブルの接続コネクタを前記光連結コネクタに接続する方法において、
前記固定部材の筒状突起部に前記固定ネジを螺合して仮止めし、前記スライド部材のスライド穴のネジ頭挿入部から前記固定ネジを挿入して前記固定部材上に前記スライド部材を重ね合わせた後、前記スライド部材を移動して前記筒状突起部を前記スライド穴に導く仮組行程と、
前記光ファイバケーブルの接続コネクタを前記光連結コネクタに接続した際に前記光ファイバケーブルが前記基板よりはみ出ないように前記スライド部材を前記固定部材上を移動する調整行程と、
前記スライド部材を前記固定ネジを介して前記固定部材上に固定する固定行程と
を備えたことを特徴とする光通信機器における接続コネクタの接続方法。
【発明の詳細な説明】
【技術分野】
【０００１】
本発明は、特にＦＴＴＨ(Fiber to the Home)システムに適用されるメディアコンバータなどの光通信機器および光通信機器における接続コネクタの接続方法に関する。
【背景技術】
【０００２】
従来、光通信機器においては、内部の光ファイバケーブルの余長処理を行うために内部に光ファイバ余長処理構造を備えていた（例えば、特許文献１を参照）。
また、図１０、図１１に示すように、光通信機器内のプリント基板１００上に光連結コネクタ固定金具１０１をリベット１０７で固定していた。光連結コネクタ固定金具１０１は、略Ｌ字型を為す金属製板材で構成され、プリント基板１００に対し起立する壁面１０２には、光連結コネクタ１０６を取り付ける取付穴１０３が設けられ、プリント基板１００上に固定される座面１０４にはリベット１０７を挿通する穴１０５が設けられている。プリント基板１００上には、光ファイバケーブル１０９を備えた光モジュール１０８が固定されている。光ファイバケーブル１０９は、余長部をプリント基板１００上に設けたクランプ１１１によって所定曲率以上になるように巻き取られ、端部に設けた接続コネクタ１１０が光連結コネクタ１０６に接続されている。
【０００３】
これに対し、光ファイバケーブルの余長処理などの組立コストを抑えるため、光モジュールの位置と光連結コネクタとの位置関係、および他部品との干渉、光ファイバケーブル曲率許容条件などを考慮して光モジュールの光ファイバケーブル長を決めることにより、図１２、図１３に示すように、光ファイバケーブル１０８の余長部分が無くなる設計が為されている。
【特許文献１】特開２００３−２７９７５４号公報
【発明の開示】
【発明が解決しようとする課題】
【０００４】
しかし、光ファイバケーブル１０９の余長部分を無くすためには、光ファイバケーブル１０９の長さの精度が必要となるため、光モジュール１０８の製造工程が難しくなり、そのため光モジュールのコストアップの要因となっている。
仮に、光ファイバケーブル１０９が短くなると、接続コネクタ１１０を光連結コネクタ１０６に接続する際に、図１２に示すように、接続コネクタ１１０近傍の光ファイバケーブル１０９ａの所定曲率を確保できなくなる。
【０００５】
また、光ファイバケーブル１０９が長くなると、接続コネクタ１１０を光連結コネクタ１０６に接続した後で、図１３に示すように、光ファイバケーブル１０９がプリント基板１００からはみ出してしまう。
本発明は斯かる従来の問題点を解決するために為されたもので、その目的は、光ファイバケーブルの余長部分を無くしても接続コネクタと光連結コネクタとを接続できる光通信機器および光通信機器における接続コネクタの接続方法を提供することにある。
【０００６】
本発明の別の目的は、光ファイバケーブルの長さに高い精度を持たせなくても光ファイバケーブルの所定曲率を確保して接続コネクタと光連結コネクタとを接続できる光通信機器および光通信機器における接続コネクタの接続方法を提供することにある。
本発明のさらに別の目的は、光ファイバケーブルの長さに高い精度を持たせなくても光ファイバケーブルを基板からはみ出すことなく接続コネクタと光連結コネクタとを接続できる光通信機器および光通信機器における接続コネクタの接続方法を提供することにある。
【課題を解決するための手段】
【０００７】
請求項１に係る発明は、接続コネクタ付きの光ファイバケーブルを備えた光モジュールと、接続コネクタを接続する光連結コネクタを取り付ける光ファイバケーブル連結装置とを基板に実装して成る光通信機器であって、光ファイバケーブル連結装置は、基板に半田付けされる端子を有する板状の固定部材と、光連結コネクタを取り付ける取付穴を有する壁部と、長穴から成るスライド穴を壁部から離れる方向に設けたスライド部とを有する略Ｌ字型を為すスライド部材と、スライド部材を固定部材上に固定する固定ネジとを備え、スライド部材は、接続コネクタと光連結コネクタとの接続時に、固定ネジを介して固定部材に仮止めされた状態で固定ネジを介して固定部材上を回転または固定部材上をスライドすることを特徴とする。
【０００８】
請求項２に係る発明は、請求項１記載の光通信機器において、固定部材は、内側にネジ部を有するとともに隆起する筒状突起部を有し、スライド穴は、筒状突起部を差し込む長穴から成り、スライド部材は、筒状突起部をスライド穴に差し込んで固定部材上に移動自在に重ね合わせられるとともに、筒状突起部にスライド部側から固定ネジを螺合することによって固定部材上に固定されることを特徴とする。
【０００９】
請求項３に係る発明は、請求項１または請求項２記載の光通信機器において、スライド穴は、スライド部材を固定部材上に固定する際に、固定ネジが取付穴に取り付けられた光連結コネクタと干渉しないようにスライド部材の幅方向で取付穴の取付位置とづらして形成されていることを特徴とする。
請求項４に係る発明は、請求項２記載の光通信機器において、スライド穴は、壁部から離れた端部に固定ネジの頭部より大きなネジ頭挿入部を有することを特徴とする。
【００１０】
請求項５に係る発明は、請求項１ないし請求項４の何れか記載の光通信機器において、固定部材は、スライド部材が該固定部材上を回動する際に該スライド部材の動きを規制するストッパーを有することを特徴とする。
請求項６に係る発明は、請求項１ないし請求項５の何れか記載の光通信機器における光モジュールに備えた光ファイバケーブルの接続コネクタを光連結コネクタに接続する方法において、固定部材上にスライド部材を重ね合わせた後、スライド部材が移動できるように固定部材に固定ネジを螺合して仮止めする仮組行程と、光ファイバケーブルの許容曲率を確保するようにスライド部材を固定部材上を回動し、光ファイバケーブルの接続コネクタを光連結コネクタに接続する行程と、スライド部材を元の位置に戻し、スライド部材を固定ネジを介して固定部材上に固定する固定行程とを備えたことを特徴とする。
【００１１】
請求項７に係る発明は、請求項１ないし請求項５の何れか記載の光通信機器における光モジュールに備えた光ファイバケーブルのコネクタを光連結コネクタに接続する方法において、固定部材上にスライド部材を重ね合わせた後、スライド部材が移動できるように固定部材に固定ネジを螺合して仮止めする仮組行程と、光ファイバケーブルの接続コネクタを光連結コネクタに接続した際に光ファイバケーブルが基板よりはみ出ないようにスライド部材を固定部材上を移動する調整行程と、スライド部材を固定ネジを介して固定部材上に固定する行程とを備えたことを特徴とする。
【００１２】
請求項８に係る発明は、請求項４または請求項５の何れか記載の光通信機器における光モジュールに備えた光ファイバケーブルの接続コネクタを光連結コネクタに接続する方法において、固定部材の筒状突起部に固定ネジを螺合して仮止めし、スライド部材のスライド穴のネジ頭挿入部から固定ネジを挿入して固定部材上にスライド部材を重ね合わせた後、スライド部材を移動して筒状突起部をスライド穴に導く仮組行程と、光ファイバケーブルの許容曲率を確保するようにスライド部材を固定部材上を回動し、光ファイバケーブルの接続コネクタを光連結コネクタに接続する接続行程と、スライド部材を元の位置に戻し、スライド部材を固定ネジを介して固定部材上に固定する固定行程とを備えたことを特徴とする。
【００１３】
請求項９に係る発明は、請求項４または請求項５の何れか記載の光通信機器における光モジュールに備えた光ファイバケーブルの接続コネクタを光連結コネクタに接続する方法において、固定部材の筒状突起部に固定ネジを螺合して仮止めし、スライド部材のスライド穴のネジ頭挿入部から固定ネジを挿入して固定部材上にスライド部材を重ね合わせた後、スライド部材を移動して筒状突起部をスライド穴に導く仮組行程と、光ファイバケーブルの接続コネクタを光連結コネクタに接続した際に光ファイバケーブルが基板よりはみ出ないようにスライド部材を固定部材上を移動する調整行程と、スライド部材を固定ネジを介して固定部材上に固定する固定行程とを備えたことを特徴とする。
【発明の効果】
【００１４】
本発明によれば、光ファイバケーブルの長さに高い精度を持たせる必要が無くなった。光モジュールの製造工程が容易になり、光モジュールの製造コストを下げることが可能となった。
本発明によれば、光ファイバケーブルの余長部分が無くても光ファイバケーブルの所定曲率を確保して接続コネクタと光連結コネクタとを接続することが可能となった。
【００１５】
本発明によれば、光ファイバケーブルの余長部分が無くても光ファイバケーブルを基板からはみ出すことなく接続コネクタと光連結コネクタとを接続することが可能となった。
【発明を実施するための最良の形態】
【００１６】
以下、本発明を図面に示す実施形態に基づいて説明する。
図１ないし図４に示すように、本実施形態に係る光通信機器１は、端部に接続コネクタ５を設けた光ファイバケーブル４を備えた光モジュール３と、接続コネクタ５を接続する光連結コネクタ６を取り付ける光ファイバケーブル連結装置１０とをプリント基板２に実装して成る。本実施形態に係る光通信機器１は、光ファイバケーブル連結装置１０を、プリント基板２に半田付け２ｂする板状の固定部材１１と、この固定部材１１上をスライドまたは回転するスライド部材１５とで構成した点で、従来の光通信機器とは相違する。
【００１７】
固定部材１１は、金属製板材から成り、曲げ加工することによって四隅にプリント基板２のスルーホール２ａ内に差し込まれる端子１２を設けている。また、固定部材１１は、バーリング加工によって隆起する筒状突起部１３をほぼ中央部に設けている。筒状突起部１３は、内側に雌ネジを設けている。なお、プリント基板２には、筒状突起部１３に螺合される固定ネジ２１が差し込まれる逃げ穴２ｃが設けてある。さらに、固定部材１１は、スライド部材１５の回転を規制するストッパー１４を一側に設けている。固定部材１１は、端子１２をプリント基板２のスルーホール２ａ内に差し込み、自動半田実装される。
【００１８】
スライド部材１５は、略Ｌ字型を為す金属製板材から成り、光連結コネクタ６を取り付ける取付穴１７を設けた壁部１６と、長穴から成る筒状突起部１３を差し込むスライド穴１９を壁部１６から離れる方向に設けたスライド部１８とを有する。スライド穴１９は、壁部１６から離れた端部に固定ネジ２１のワッシャ２１ａより大きなネジ頭挿入部２０を有する。また、スライド穴１９は、スライド部材１５を固定部材１１上に固定する際に、ドライバなどの工具を差し込むことができるように、固定ネジ２１が取付穴１７に取り付けられた光連結コネクタ６と干渉しないようにスライド部材１５の幅方向で取付穴１７の取付位置とＷだけづらして形成されている。
【００１９】
次に、本実施形態の作用を説明する。
先ず、図３において矢印（Ａ）で示すように、固定部材１１の筒状突起部１３に固定ネジ２１を螺合して仮止めする。
次に、図３において（Ｂ）で示すように、光連結コネクタ６を取付穴１７に取り付けたスライド部材１５のスライド穴１９のネジ頭挿入部２０を固定ネジ２１上に配し、ネジ頭挿入部２０内に固定ネジ２１が差し込まれるようにスライド部材１５を固定部材１１上に重ね合わせる。次に、固定ネジ２１がネジ頭挿入部２０からスライド穴１９に位置するようにスライド部材１５を固定部材１１上を移動する。
【００２０】
次に、図５に示すように、光ファイバケーブル４の接続コネクタ５を光連結コネクタ６と軸合わせをしながら光連結コネクタ６に差し込む。
次に、スライド部材１５を固定部材１１上で前後にスライドさせるとともに固定ネジ２１を中心に回転させ、他部品との干渉や光ファイバケーブル４に掛かる負荷などの諸条件が最良の位置にスライド部材１５の位置が決められる。
【００２１】
次に、固定ネジ２１を工具により締め増しをして筒状突起部１３に本固定する。これによって、スライド部材１５が固定部材１１上に固定される。
以上によって接続コネクタ５と光連結コネクタ６との接続が完了する。
次に、図６、図７に基づいて、光ファイバケーブル４が短い場合について説明する。
先ず、図３において矢印（Ａ）で示すように、固定部材１１の筒状突起部１３に固定ネジ２１を螺合して仮止めする。
【００２２】
次に、図３において（Ｂ）で示すように、光連結コネクタ６を取付穴１７に取り付けたスライド部材１５のスライド穴１９のネジ頭挿入部２０を固定ネジ２１上に配し、ネジ頭挿入部２０内に固定ネジ２１が差し込まれるようにスライド部材１５を固定部材１１上に重ね合わせる。次に、固定ネジ２１がネジ頭挿入部２０からスライド穴１９に位置するようにスライド部材１５を固定部材１１上を移動する。
【００２３】
光ファイバケーブル４が短い場合には、図６に示すように、接続コネクタ５と光連結コネクタ６との接続時に、接続コネクタ５の根本近傍の光ファイバケーブル４ａに光ファイバケーブル４の許容曲率が確保できなくなる。
この場合には、図７に示すように、光ファイバケーブル４の許容曲率が確保できる位置までスライド部材１５を固定部材１１上で回転し、その位置で接続コネクタ５を光連結コネクタ６に差し込み、その後にスライド部材１５を元の位置に戻す。
【００２４】
次に、スライド部材１５を固定部材１１上で前後にスライドさせるとともに固定ネジ２１を中心に回転させ、他部品との干渉や光ファイバケーブル４に掛かる負荷などの諸条件が最良の位置にスライド部材１５の位置が決められる。
次に、固定ネジ２１を工具により締め増しをして筒状突起部１３に本固定する。これによって、スライド部材１５が固定部材１１上に固定される。
【００２５】
以上によって接続コネクタ５と光連結コネクタ６との接続が完了する。
次に、図７、図８に基づいて、光ファイバケーブル４が長い場合について説明する。
先ず、図３において矢印（Ａ）で示すように、固定部材１１の筒状突起部１３に固定ネジ２１を螺合して仮止めする。
次に、図３において（Ｂ）で示すように、光連結コネクタ６を取付穴１７に取り付けたスライド部材１５のスライド穴１９のネジ頭挿入部２０を固定ネジ２１上に配し、ネジ頭挿入部２０内に固定ネジ２１が差し込まれるようにスライド部材１５を固定部材１１上に重ね合わせる。次に、固定ネジ２１がネジ頭挿入部２０からスライド穴１９に位置するようにスライド部材１５を固定部材１１上を移動する。
【００２６】
光ファイバケーブル４が長い場合には、図８に示すように、接続コネクタ５と光連結コネクタ６との接続が完了した後で、光ファイバケーブル４がプリント基板２からはみ出る。
この場合は、図９に示すように、スライド部材１５を固定部材１１上でスライドさせ、他部品との干渉や光ファイバケーブル４に掛かる負荷などの諸条件が最良の位置にスライド部材１５の位置が決められる。
【００２７】
次に、固定ネジ２１を工具により締め増しをして筒状突起部１３に本固定する。これによって、スライド部材１５が固定部材１１上に固定される。
以上によって接続コネクタ５と光連結コネクタ６との接続が完了する。
このように、本実施形態によれば、スライド部材１５をスライドさせたり回転させたりすることによって光ファイバケーブル４の余長調整を行うことができるので、従来の余長処理を行う装置に用いる光ファイバケーブル長の精度と同程度の精度まで落とすことができ、光モジュール３の製造工数を削減することができる。
【００２８】
また、本実施形態によれば、スライド部材１５を回転させることによって光ファイバケーブル４の余長調整を行うことができるので、光ファイバケーブル４の余長部分が無くても光ファイバケーブル４の所定曲率を確保して接続コネクタ５と光連結コネクタ６とを接続できる。
また、本実施形態によれば、スライド部材１５をスライドさせることによって光ファイバケーブル４の余長調整を行うことができるので、光ファイバケーブル４の余長部分が無くても光ファイバケーブル４をプリント基板２からはみ出すことなく接続コネクタ５と光連結コネクタ６とを接続できる。
【００２９】
また、上記実施形態によれば、固定部材１１に筒状突起部１３を設けたので、スライド部材１５のスライド穴１９を介してスライド部材１５のガイド機能を発揮することができる。
また、本実施形態によれば、スライド穴１９の端部にネジ頭挿入部２０を設けたので、固定ネジ２１を先に固定部材１１に取り付けておくことが可能となった。つまり、一度固定ネジ２１を固定部材１１に取り付けておくと、スライド部材１５の取付時、取外時の度にスライド部材１５のスライド穴１９のネジ頭挿入部２０を固定ネジ２１の位置に移動することによってスライド部材１５を取り付けたり外したりできるので、スライド部材１５の取付時、取外時の度に固定ネジ２１を取り付けたり外したりする必要が無くなる。固定ネジ２１は、スライド部材１５に比し小さいため、スライド部材１５の取付時、取外時の度に取り付けたり外したりする作業が面倒である上、固定ネジ２１を別途に保管しておく必要があった。
【００３０】
なお、上記実施形態では、固定部材１１に筒状突起部１３を設けた場合について説明したが、本発明はこれに限定することなく、固定部材１１にネジ穴を設けても良い。この場合には、筒状突起部１３によるスライド穴１９のガイド機能が達成され無くなるが、固定ネジ２１を予め固定部材１１に螺合しておけば、上記実施形態と同様に、固定ネジ２１を介してスライド部材１５を回転またはスライドさせることが可能となる。
【００３１】
また、上記実施形態では、スライド穴１９の端部にネジ頭挿入部２０を設けた場合について説明したが、本発明はこれに限定することなく、ネジ頭挿入部２０のないスライド穴１９としても良い。この場合は、固定部材１１上にスライド部材１５を重ね合わせてから固定ネジ２１を筒状突起部１３に螺合することとなる。
【図面の簡単な説明】
【００３２】
【図１】本発明の一実施形態に係る光通信機器の要部を示す平面図である。
【図２】図１における光ファイバケーブル連結装置の斜視図である。
【図３】図１における光ファイバケーブル連結装置の組立状態を示す分解斜視図である。
【図４】図１における光ファイバケーブル連結装置の断面図である。
【図５】本発明の一実施形態に係る光通信機器における接続コネクタの接続方法を示す平面図である。
【図６】本発明の一実施形態に係る光通信機器における光ファイバケーブルが短い場合について説明する平面図である。
【図７】本発明の一実施形態に係る光通信機器における光ファイバケーブルが短い場合に光ファイバケーブル連結装置を回転して接続コネクタを接続する方法を示す平面図である。
【図８】本発明の一実施形態に係る光通信機器における光ファイバケーブルがプリント基板からはみ出す場合について説明する平面図である。
【図９】本発明の一実施形態に係る光通信機器における光ファイバケーブルがプリント基板からはみ出す場合に光ファイバケーブル連結装置をスライドしてはみ出しを無くして接続コネクタを接続する方法を示す平面図である。
【図１０】従来の光通信機器における接続コネクタの接続方法を示す面図である。
【図１１】図１０における光ファイバケーブル連結装置の斜視図である。
【図１２】従来の光ファイバケーブルの余長部分を無くした光通信機器における光ファイバケーブルが短い場合の接続コネクタの接続方法を示す平面図である。
【図１３】従来の光ファイバケーブルの余長部分を無くした光通信機器における光ファイバケーブルがプリント基板からはみ出す接続コネクタの接続方法を示す平面図である。
【符号の説明】
【００３３】
１  光通信機器
２  プリント基板
２ａ  スルーホール
２ｂ  半田
３  光モジュール
４  光ファイバケーブル
５  接続コネクタ
６  光連結コネクタ
１０  光ファイバケーブル連結装置
１１  固定部材
１２  端子
１３  筒状突起部
１４  ストッパー
１５  スライド部材
１６  壁部
１７  取付穴
１８  スライド部
１９  スライド穴
２０  ネジ頭挿入部
２１  固定ネジ
２２  ワッシャ
【図１】
0004762760.tif 000002
【図２】
0004762760.tif 000003
【図３】
0004762760.tif 000004
【図４】
0004762760.tif 000005
【図５】
0004762760.tif 000006
【図６】
0004762760.tif 000007
【図７】
0004762760.tif 000008
【図８】
0004762760.tif 000009
【図９】
0004762760.tif 000010
【図１０】
0004762760.tif 000011
【図１１】
0004762760.tif 000012
【図１２】
0004762760.tif 000013
【図１３】
0004762760.tif 000014